(57)【特許請求の範囲】
【請求項１】
コップなどの下に敷くコースターであって、
該コースターは、絵、写真、文字、デザインなどの図柄模様を全部又は一部に描いた板状素材を複数に分離できるパズル片とし、且つ各パズル片同士の隣接位置に、該パズル片同士が貼り剥がし自在なるよう塗布された粘着剤から成る連結手段を有することを特徴とするジグソーパズルとして遊べるコースター。
【請求項２】
複数のパズル片の裏面側にも、絵、写真、文字、デザインなどの図柄模様が描かれていることを特徴とする請求項１に記載のジグソーパズルとして遊べるコースター。
【請求項３】
パズル片は、吸水性を有する紙材に接着剤を含有させて形成したことを特徴とする請求項１に記載のジグソーパズルとして遊べるコースター。
【発明の詳細な説明】
【０００１】
【発明の属する技術分野】
本発明は、コップなどの下に敷くコースターとして使用する他に、ジグソーパズル玩具としての機能を付加してパズル遊びを楽しむことができる、ジグソーパズルとして遊べるコースターに関するものである。
【０００２】
【従来の技術】
従来、喫茶店やレストラン、或いは一般家庭などにおいては、飲料を注いだコップなどの下に敷くコースターが一般に使用されている。
このコースターは、紙製、布製、革製、又は金属製など種々な材質で形成されており、結露現象によってコップの外周に付着した水滴が机上に流れ落ちないようにしたり、或いは視覚的にお洒落な雰囲気を醸し出すために用いられるものである。
【０００３】
一方、ジグソーパズルとしては、例えば実開昭５８−１４２０９４号公報に開示された構成のものが従来例として知られている。
このジグソーパズルは、図５（Ａ）（Ｂ）に示すように、所定の個所に嵌め合わせる複数のパズル片１、１…からなり、その表面には絵や写真、文字、デザインなどの適宜の図柄模様（図では子犬や小兎）２が描かれている。
そして、一旦ばらばらに分離したパズル片１、１…を、前記の図柄模様２を整合させるように嵌め合わせてその図柄模様２を復元させることにより、パズル遊びを楽しむのである。
【０００４】
【発明が解決しようとする課題】
従来例のコースターにおいては、コップの敷物としての機能のみを有するものであり、コースターにジグソーパズル玩具の機能を付加して、パズル遊びを楽しもうとする発想のものは見当たらない。
【０００５】
仮に、従来例のジグソーパズルを小型に形成してコースターに応用した場合においては、個々のパズル片の凹部と凸部とを嵌め合わせているだけなので、そのコースターを手で持ったり動かしたりした時に、各パズル片がバラバラに分離してしまい、コースターとして機能しないという問題点を有している。
【０００６】
従って、従来例におけるコースターにおいては、ジグソーパズル玩具の機能を付加してパズル遊びを楽しめるようにすると共に、その際に個々のパズル片がバラバラに分離することなくコースターとしての機能をシッカリと有していることに解決しなければならない課題を有している。
【０００７】
【課題を解決するための手段】
前記従来例の課題を解決する具体的手段として本発明は、コップなどの下に敷くコースターであって、該コースターは、絵、写真、文字、デザインなどの図柄模様を全部又は一部に描いた板状素材を複数に分離できるパズル片とし、且つ各パズル片同士の隣接位置に、該パズル片同士が貼り剥がし自在なるよう塗布された粘着剤から成る連結手段を有することを特徴とするジグソーパズルとして遊べるコースターを提供するものである。
【０００８】
また、複数のパズル片の裏面側にも、絵、写真、文字、デザインなどの図柄模様が描かれている構成としたものであり、更に、パズル片は、吸水性を有する紙材に接着剤を含有させて形成した構成としたものである。
【０００９】
本発明に係るジグソーパズルとして遊べるコースターにおいては、通常はコースターとして使用し、連結手段を分離すればジグソーパズルとしてパズル遊びを楽しむことができる。
つまり、連結手段の存在によって、コースターを手で持ったり動かしたりしても、各パズル片がバラバラに分離することなくコースターとして機能する。
また、連結手段が粘着剤であるので、パズル片同士を嵌め合わせて連結させ且つ貼り付ければ、何度でも繰り返してコースターとして使用できる。
【００１０】
【発明の実施の形態】
次に、本発明の実施の形態について図面を参照しながら説明する。まず、図１において、符号１１はジグソーパズルとして遊べるコースターを示し、このコースター１１は、厚紙製材料又は合成樹脂製材料などの板状素材で形成されており、所定の個所に嵌め合わせる複数のパズル片１２、１２…からなる。
【００１１】
コースター１１は、図１において略正方形状に表しているが、必ずしもこの形状に限定されることはなく、例えば円形状、楕円形状、長方形状、又は多角形状などの適宜の形状に形成してもよいことは勿論である。
また、コースター１１の大きさは、コップなどの下に敷いたときに都合のよい適宜の大きさであり、厚さは、一例として１〜４ｍｍ程度である。
【００１２】
コースター１１の表面側には、その全部又は一部に絵や写真、文字、デザインなどの図柄模様１３が描かれており、更に、コースター１１の裏面側には、図２に示すように前記表面側の図柄模様１３とは異なる図柄模様１４が画かれている。このことによって、コースター１１の表面側と裏面側との二面において異なるパズル遊びをそれぞれ楽しむことができる。
【００１３】
パズル片１２、１２…は、それぞれ凹部と凸部とを有しており、この凹部及び凸部を隣接するパズル片１２、１２…の凸部及び凹部にピッタリと嵌め合わせて、即ち、同パズル片１２、１２…にそれぞれ描かれた絵や写真などの図柄模様１３を整合すべく嵌め合わせて前記図柄模様１３を復元するのである。
【００１４】
また、パズル片１２は、吸水性を有する紙材に所定の接着剤を公然周知の方法で含有させて形成している。従って、結露現象によってコップの外周に付着した水滴が流れてコースター１１に付着した際に、その水滴をパズル片１２が吸収するのでコースターとして優れた吸水機能を発揮することとなるのである。
更に、パズル片１２に吸収された水分が蒸発した際には、一旦濡れて軟化したパズル片１２が、接着剤の作用によって再び固まるので、コースターとして再度使用できるしジグソーパズルとしての機能も失わない。
【００１５】
更に、パズル片１２同士の隣接位置には、分離可能な連結手段を有している。この連結手段の存在によって、コースター１１を手で持ったり動かしたりしても、各パズル片１２がバラバラに分離することなくコースター１１として機能するのである。
【００１６】
連結手段は、具体的には図３に示すように、各パズル片１２同士を繋ぐ接続部１５であって（第１実施例）、この接続部１５の太さは、一例として約０．１〜１ｍｍ程度である。
そして、コースター１１をジグソーパズルにしたいときには、個々のパズル片１２同士を指で軽く引っ張って接続部１５を切断すればよいのである。
【００１７】
また、連結手段の第２実施例としては、図４に示すように、パズル片１２同士が貼り剥がし自在なるようにパズル片１２の側面に塗布された粘着剤１６である。粘着剤１６は、繰り返して貼り剥がしができる公然周知のものである。
そして、この場合には、パズル片１２同士を嵌め合わせて連結させ且つ粘着剤１６により貼り付ければ、何度でも繰り返してコースターとして使用することが可能である。
【００１８】
このように構成されたジグソーパズルとして遊べるコースター１１は、通常はコップなどの下に敷くコースターとして使用でき、このとき連結手段の存在によって、各パズル片１２がバラバラに分離しない。
そして、連結手段（接続部１５）を分離すればジグソーパズルとしてパズル遊びを楽しむことができる。
更に、連結手段が粘着剤１６である場合には、何度でも繰り返してコースターとして使用できる。
【００１９】
【発明の効果】
以上説明したように本発明に係るジグソーパズルとして遊べるコースターは、コップなどの下に敷くコースターであって、該コースターは、絵、写真、文字、デザインなどの図柄模様を全部又は一部に描いた板状素材を複数に分離できるパズル片とし、且つ各パズル片同士の隣接位置に、該パズル片同士が貼り剥がし自在なるよう塗布された粘着剤から成る連結手段を有することによって、通常はコースターとして使用し、連結手段を分離すればジグソーパズルとしてパズル遊びを楽しむことができる。
つまり、連結手段の存在によって、コースターを手で持ったり動かしたりしても、各パズル片がバラバラに分離することなくコースターとして機能する。
また、連結手段が粘着剤であるので、パズル片同士を嵌め合わせて連結させ且つ貼り付ければ、何度でも繰り返してコースターとして使用できるという優れた効果を奏する。
【００２１】
更に、複数のパズル片の裏面側にも、絵、写真、文字、デザインなどの図柄模様が描かれていることによって、コースターの表面と裏面との二面においてパズル遊びを楽しむことができるという優れた効果を奏する。
【００２２】
また、パズル片は、吸水性を有する紙材に接着剤を含有させて形成したことによって、結露現象によってコップの外周に付着した水滴が流れてコースターに付着した際に、その水滴をパズル片が吸収するのでコースターとして優れた吸水機能を発揮することとなる。
更に、パズル片に吸収された水分が蒸発した際には、一旦濡れて軟化したパズル片が接着剤の作用によって再び固まるので、コースターとして再度使用できるしジグソーパズルとしての機能も失わないという優れた効果を奏する。
【図面の簡単な説明】
【図１】本発明に係るジグソーパズルとして遊べるコースターの表面側を示す正面図である。
【図２】本発明に係るジグソーパズルとして遊べるコースターの裏面側を示す背面図である。
【図３】パズル片の要部を拡大して示した正面図である（第１実施例）。
【図４】パズル片の要部を拡大して示した正面図である（第２実施例）。
【図５】（Ａ）従来例に係るジグソーパズルの要部を示す正面図である。
（Ｂ）従来例に係るジグソーパズルの正面図である。
【符号の説明】
１    パズル片
２    図柄模様
１１  ジグソーパズルとして遊べるコースター
１２  パズル片
１３  図柄模様
１４  図柄模様
１５  接続部
１６  粘着剤
【図１】
0003754247.tif 000002
【図２】
0003754247.tif 000003
【図３】
0003754247.tif 000004
【図４】
0003754247.tif 000005
【図５】
0003754247.tif 000006